(57)【要約】【課題】  本発明では、上記のような課題により、農薬を使用せずに、農作物に寄生する害虫（成虫、幼虫、さなぎ、卵など）を駆除するための方法や装置を提供することを目的としている。【解決手段】  給水手段と、給水手段の水を農作物に噴出するための散水ホースと、散水ホースの先端に取り付けた散水ノズルと、給水手段の水を散水ノズルへ送るときに圧力をかける高圧ポンプとより構成し、散水ノズルより水を農作物へ噴出して、農作物に接近、付着する害虫を駆除する農作物の管理装置。【選択図】図１
2005312361.tif 000002
【特許請求の範囲】
【請求項１】
農作物へ、圧力水を当てることにより、農作物に接近、付着する害虫を駆除することを特徴とする農作物の管理方法。
【請求項２】
圧力水の圧力を１〜５ＭＰａとすることを特徴とする請求項１記載の農作物の管理方法。
【請求項３】
圧力水の圧力を２〜３．５ＭＰａとすることを特徴とする請求項１記載の農作物の管理方法。
【請求項４】
農作物へ、圧力水とともに、圧力風を当てることにより、農作物全体に圧力水を当て、農作物に接近、付着する害虫を駆除することを特徴とする請求項１、２または３記載の農作物の管理方法。
【請求項５】
給水手段と、給水手段の水を農作物に噴出するための散水ホースと、散水ホースの先端に取り付けた散水ノズルと、給水手段の水を散水ノズルへ送るときに圧力をかける高圧ポンプとより構成し、散水ノズルより水を農作物へ噴出して、農作物に接近、付着する害虫を駆除することを特徴とする農作物の管理装置。
【請求項６】
走行装置を備え、農作物の間を走行する機体と、水を貯えた貯水タンクと、貯水タンク内の水を農作物に噴出するための散水ホースと、散水ホースの先端に取り付けた散水ノズルと、貯水タンクの水を散水ノズルへ送るときに圧力をかける高圧ポンプとより構成し、農作物の間を走行させながら農作物へ水を噴出して、農作物に接近、付着する害虫を駆除することを特徴とする農作物の管理装置。
【請求項７】
散水ノズルの散水付近へ送風をするための送風手段を設け、農作物に圧力水とともに圧力風を当てて、農作物に接近、付着する害虫を駆除することを特徴とする請求項５または６記載の農作物の管理装置。
【請求項８】
散水ノズルを複数装備し、散水ノズルの向きを変えて取付けることを特徴とする請求項５、６または７記載の農作物の管理装置。 
【発明の詳細な説明】
【技術分野】
【０００１】
本発明は、農作物の害虫の駆除をして畑を管理するための方法と装置に関するものである。
【背景技術】
【０００２】
従来の農作物の害虫を駆除する方法は、農薬を農作物に散布するのが一般的である。最近では、天敵を利用して駆除する方法もあるが、全ての害虫を駆除することができるものではない。
【０００３】
茶園の場合を例にすると、茶園防除機は、多数のものがある（例えば、特許文献１、２参照）。これらは、茶畝を跨いだ機体に薬液タンクをのせ、機体後部に薬液散布用の噴霧ノズルのついた散布装置を取付けて、ポンプによって噴霧ノズルから薬液を噴出させることによって霧状にし、茶樹の表面に薬液を散布し、防除を行なっている。果実や野菜などの農作物も、霧状にした薬液を農作物に散布して防除を行なう方法が一般的である。
【特許文献１】特開２００３−２６５０８８号公報
【特許文献２】特開平１１−２９９４０９号公報
【発明の開示】
【発明が解決しようとする課題】
【０００４】
近年、農薬の過剰な使用により、残留農薬による人体への悪影響の危険性が社会問題にもなり、トレーサビリティーなどで管理しているものもあるため、無農薬栽培が強く求められている。また、農作物へ農薬を散布するときに、作業者にも、多少なりとも農薬がかかってしまい、作業者への悪影響もあった。
【０００５】
本発明では、上記のような課題により、農薬を使用せずに、農作物に寄生する害虫（成虫、幼虫、さなぎ、卵など）を駆除するための方法や装置を提供することを目的としている。
【課題を解決するための手段】
【０００６】
本発明の第１手段は、農作物へ、圧力水を当てることにより、農作物に接近、付着する害虫を駆除する農作物の管理方法。第２手段は、第１手段の圧力水の圧力を１〜５ＭＰａとする農作物の管理方法。第３手段は、第１手段の圧力水の圧力を２〜３．５ＭＰａとする農作物の管理方法。第４手段は、第１、２または３手段において、農作物へ、圧力水とともに、圧力風を当てることにより、農作物全体に圧力水を当て、農作物に接近、付着する害虫を駆除する農作物の管理方法。
【０００７】
第５手段は、給水手段と、給水手段の水を農作物に噴出するための散水ホースと、散水ホースの先端に取り付けた散水ノズルと、給水手段の水を散水ノズルへ送るときに圧力をかける高圧ポンプとより構成し、散水ノズルより水を農作物へ噴出して、農作物に接近、付着する害虫を駆除する農作物の管理装置。第６手段は、走行装置を備え、農作物の間を走行する機体と、水を貯えた貯水タンクと、貯水タンク内の水を農作物に噴出するための散水ホースと、散水ホースの先端に取り付けた散水ノズルと、貯水タンクの水を散水ノズルへ送るときに圧力をかける高圧ポンプとより構成し、農作物の間を走行させながら農作物へ水を噴出して、農作物に接近、付着する害虫を駆除する農作物の管理装置。第７手段は、第５または６手段に、散水ノズルの散水付近へ送風をするための送風手段を設け、農作物に圧力水とともに圧力風を当てて、農作物に接近、付着する害虫を駆除する農作物の管理装置。第８手段は、第５、６または７手段において、散水ノズルを複数装備し、散水ノズルの向きを変えて取付ける農作物の管理装置。
【発明の効果】
【０００８】
本発明により、害虫の成体だけでなく、害虫の幼虫、さなぎ、卵も駆除することができる。また、農薬を使用せずに害虫の駆除が可能となり、水は安全なので、農薬による消費者及び作業者の健康を害することから守ることができる。水で駆除するため、農薬を使用する駆除と比べると、安価な方法を提供できる。
【０００９】
更に、農作物にとって、水は大事なもので、夏の雨が少ないときには、スプリンクラーなどを使用して水を撒いている場合があるが、本発明によれば、害虫駆除と同時に農作物に水を与えることができる。
【発明を実施するための最良の形態】
【００１０】
本発明では、農作物へ、圧力水を当てることにより、圧力水が農作物に接近、付着した害虫を洗い落とすようにして、害虫を駆除する。この時の圧力水の圧力を１〜５ＭＰａとすることが望ましいが、他の圧力でも害虫を駆除することができる。農作物を痛めず、害虫を駆除するためには、この程度の圧力がよい。圧力が低い場合、ノズルの数が多く必要になるなど、経済的効果が低く、実用的でない。特に、農作物が茶の場合は、２〜３．５ＭＰａが茶の葉を痛めずに害虫を駆除するための圧力として、望ましい。また、農作物へ、圧力水とともに、圧力風を当てることにより、農作物全体（葉の表や裏、茎等）に圧力水を当てることができ、満遍なく駆除できる。また、害虫には、成虫や幼虫、さなぎ、卵などがあり、さなぎや卵は水を当てるだけや、送風するだけでは駆除しにくいが、圧力水（場合によっては、圧力風も）を当てることで成虫のみならず、さなぎや卵も駆除することができる。圧力水の圧力を上げすぎると農作物の種類によっては、農作物を痛めてしまうので、農作物の種類により圧力を変える。葉が密集していない農作物は、圧力水のみでも十分効果がある。
【実施例１】
【００１１】
実施例１を図１〜４にて説明する。１は農作物であり、本実施例は、茶樹のように畝になっているものの例である。２は走行装置であり、農作物１を挟んで、設けられている。３は機枠であり、走行装置２を門型でつないでいる。本実施例では農作物１を跨いだ形になっているが、農作物１の横を移動する形状でもよい。４は貯水タンク、５は高圧ポンプ、６は散水ホース、７は散水ノズルであり、貯水タンク４の水を高圧ポンプを利用して圧力水（望ましくは、１〜５ＭＰａ、茶の場合は、２〜３．５ＭＰａ）にして、散水ホース６を通り、散水ノズル７より噴出する。貯水タンク４は給水手段の一種であり、機枠３上に載せずに別の場所に設置して、ホース等でつないでもよい。散水ノズル７は農作物１の幅全体に水が行き渡るように、幅方向に複数設ける。８は送風手段のファンであり、ファン８で発生した圧力風を送風ダクト１１を経由して、送風管１２の送風ノズル１３から農作物へ噴出する。送風ノズル１３も農作物１の幅全体に送風が行き渡るように、幅方向に複数設ける。１４は高さ調節シリンダであり、農作物１の高さや効果的な噴出高さにより散水ノズル７や送風ノズル１３の高さを変更するシリンダである。１６は走行装置２を駆動する駆動装置である。１７は運転ハンドルであり、本実施例の装置は作業者が乗って、走行するタイプのものである。運転ハンドル１７がついていない（作業者が乗らない）タイプで、自動で走行するものや遠隔操作できるものでもよい。
【００１２】
上記のような装置を起動すると、農作物１の間を走行装置２が走りながら、農作物１へ圧力水を散水ノズル７より噴出する。このときに、圧力水のみの場合は、農作物１の一方方向のみに圧力水が当たるが、圧力風を同時に噴出することで風により農作物１の方向が変わり、様々な方向から圧力水を当てることができる。農作物１へ圧力水を噴出することで、農作物に接近、付着した害虫（成虫、幼虫、さなぎ、卵など）が圧力水に当たり、洗い落とされ、駆除される。圧力水の圧力を上げすぎると農作物１の種類によっては、農作物１を痛めてしまうので、農作物１の種類により圧力を変える。葉が密集していない農作物１は、圧力水のみでも十分効果がある。
【００１３】
図４のように、散水ノズル７、送風ノズル１３の向きを変えたものを、前後に複数装備することにより、害虫（成虫、幼虫、さなぎ、卵など）をより確実に駆除することができる。前についている散水ノズル７で圧力水を噴出したときに、圧力により農作物１が倒れた場合、送風ノズル１３で圧力風を送風しても農作物１の方向が変化しないことがある。その時に、後ろについている散水ノズル７で前と反対方向に圧力水を噴出することで、農作物１の方向を変えて、満遍なく圧力水を当てることができる。
【００１４】
農作物１を茶とする場合、１時間に約３０アールの畑を管理する速度が適当であり、ゆっくり走行するほうが効果的である。また、使用する水の量は、１０アール当たり１５００〜３０００リットル程度である。これらの害虫駆除は、通常では農薬を散布する時期、一茶前の２〜３月、二茶前の５月、害虫が発生しやすい７月、秋番茶前の９月、秋番茶後の１０月あたりに行なうのが効果的である。
【実施例２】
【００１５】
次に、実施例２について、図５〜８により説明する。２１は農作物であり、本実施例は、茶樹のように畝になっているものの例である。２２は走行装置であり、農作物２１を挟んで、設けられている。２３は機枠であり、走行装置２２を門型でつないでいる。本実施例では農作物２１を跨いだ形になっているが、農作物２１の横を移動する形状でもよい。２４は貯水タンク、２５は高圧ポンプ、２６は散水ホース、２７は散水ノズルであり、貯水タンク２４の水を高圧ポンプを利用して圧力水（望ましくは、１〜５ＭＰａ、茶の場合は、２〜３．５ＭＰａ）にして、散水ホース２６を通り、散水ノズル２７より噴出する。貯水タンク２４は給水手段の一種であり、機枠２３上に載せずに別の場所に設置して、ホース等でつないでもよい。３４は高さ調節シリンダであり、農作物２１の高さや効果的な噴出高さにより散水ノズル２７の高さを変更する。３６は走行装置２２を駆動する駆動装置である。３７は運転ハンドルであり、本実施例の装置は作業者が乗って、走行するタイプのものである。運転ハンドル３７がついていない（作業者が乗らない）タイプで、自動で走行するものや遠隔操作できるものでもよい。
【００１６】
上記のような装置を起動すると、農作物２１の間を走行装置２２が走りながら、農作物２１へ圧力水を散水ノズル２７より噴出する。茶のような農作物２１の場合、上側は葉が密集しているため、中側の枝や幹に寄生する害虫には上からの圧力水・圧力風は届かない。上側は葉に覆われているが、下側には葉が少ないため、本実施例のように、農作物２１の側面から圧力水を当てることにより、枝や幹に寄生する害虫（成虫、幼虫、さなぎ、卵など）を駆除することができる。高さや向きを変えて散水ノズル２７を複数個設けたり、先端が回転する散水ノズル２７を用いると、様々な方向、位置へ圧力水が当たり、より効果的である。
【実施例３】
【００１７】
実施例３について、図９を参照して説明する。４１は農作物である。４２は水道、４３は蛇口、４４は高圧ポンプ、４５は散水ホース、４６は散水ノズルである。蛇口４３をひねって、水道４２から出てきた水に高圧ポンプ４４により圧力（望ましくは、１〜５ＭＰａ、茶の場合は、２〜３．５ＭＰａ）をかけ、散水ホース４５を通って、散水ノズル４６より農作物４１へ噴出する。圧力風が必要なときは、送風手段を用意して、送風ノズルより送風する。
【実施例４】
【００１８】
実施例４について、図１０を参照して説明する。５１は農作物である。５２は水道、５３は蛇口、５４は高圧ポンプ、５５は散水配管、５６は散水ノズルである。蛇口５３をひねって、水道５２から出てきた水に高圧ポンプ５４により圧力（望ましくは、１〜５ＭＰａ、茶の場合は、２〜３．５ＭＰａ）をかけ、散水配管５５を通って、散水ノズル５６より農作物５１へ噴出する。散水配管５５は支柱５７により固定されており、作業者が作業をしなくても、蛇口５３をひねるだけで、圧力水の噴出が行なわれる。
【図面の簡単な説明】
【００１９】
【図１】実施例１の管理装置の正面図。
【図２】実施例１の管理装置の側面図。
【図３】実施例１の管理装置の後面図。
【図４】実施例１の管理装置の一部詳細図。
【図５】実施例２の管理装置の正面図。
【図６】実施例２の管理装置の側面図。
【図７】実施例２の管理装置の後面図。
【図８】実施例２の管理装置の一部詳細図。
【図９】実施例３の図。
【図１０】実施例４の図。
【符号の説明】
【００２０】
１    農作物
２    走行装置
３    機枠
４    貯水タンク
５    高圧ポンプ
６    散水ホース
７    散水ノズル
８    ファン
９    ベルト
１０    プーリ
１１    送風ダクト
１２    送風管
１３    送風ノズル
１４    高さ調節シリンダ
１５    油圧ポンプ
１６    エンジン
１７    運転ハンドル
１８    支持枠
１９    ベルト
２０    プーリ
２１    農作物
２２    走行装置
２３    機枠
２４    貯水タンク
２５    高圧ポンプ
２６    散水ホース
２７    散水ノズル
３４    高さ調節シリンダ
３５    油圧ポンプ
３６    エンジン
３７    運転ハンドル
４１    農作物
４２    水道
４３    蛇口
４４    高圧ポンプ
４５    散水ホース
４６    散水ノズル
４７    作業者
５１    農作物
５２    水道
５３    蛇口
５４    高圧ポンプ
５５    散水配管
５６    散水ノズル
５７    支柱
【図１】
2005312361.tif 000003
【図２】
2005312361.tif 000004
【図３】
2005312361.tif 000005
【図４】
2005312361.tif 000006
【図５】
2005312361.tif 000007
【図６】
2005312361.tif 000008
【図７】
2005312361.tif 000009
【図８】
2005312361.tif 000010
【図９】
2005312361.tif 000011
【図１０】
2005312361.tif 000012